(57)【要約】【課題】  実施形態は、鈑桁橋など金属製の構造物内で図面を参照しながら点検個所を確認する際、点検個所に取り付けられたＲＦＩＤタグを効率的に探すことができ、必要な情報を取得することができるＲＦＩＤタグを提供することが課題である。【解決手段】  一つの実施形態のＲＦＩＤタグは、基材にＲＦＩＤチップとアンテナとが配置されたＲＦＩＤタグ本体と、前記ＲＦＩＤタグ本体に組み付けられた再帰性反射材とを備えている。【選択図】図２
2017215741.tif 000002
【特許請求の範囲】
【請求項１】
基材にＲＦＩＤチップとアンテナとが配置されたＲＦＩＤタグ本体と、前記ＲＦＩＤタグ本体に組み付けられた再帰性反射材とを備えたＲＦＩＤタグ。
【請求項２】
前記再帰性反射材は、前記ＲＦＩＤタグ本体の上に重ねて配置されている請求項１に記載のＲＦＩＤタグ。
【請求項３】
前記再帰性反射材は、前記ＲＦＩＤタグ本体と同一面に並べて配置されている請求項１に記載のＲＦＩＤタグ。
【請求項４】
前記再帰性反射材は、表示色が異なる複数色の再帰性反射部と、
前記再帰性反射部の表示色を選択する表示色選択部とを有し、
前記表示色選択部は、複数色の前記再帰性反射部の並ぶ方向に移動可能な遮光板を備え、前記遮光板を移動させることで前記再帰性反射部の表示色を選択可能な請求項１に記載のＲＦＩＤタグ。
【請求項５】
前記再帰性反射材は、反射面に剥離可能なカラーフィルムを備えている請求項１に記載のＲＦＩＤタグ。
【発明の詳細な説明】
【技術分野】
【０００１】
本発明の実施形態は、ＲＦＩＤタグに関する。
【背景技術】
【０００２】
近年、橋梁やトンネルなどの社会インフラが老朽化しているため、効率的なメンテナンスが求められている。一般的には、点検を行う事業者が橋梁やトンネルなどの点検場所の状態を点検する。このとき、修繕が必要と判断した個所にチョークなどでマーキングし、図面に補修内容を記録する。その後、補修を行う事業者は、記録された前記図面を参照しながら点検場所のマーキング個所を探し、補修内容を確認している。
【０００３】
しかし、橋梁やトンネル内は暗く、同一構造が連続していることが多いため、チョークなどでマーキングした個所を探すことが困難である。
【０００４】
そこで、ＲＦＩＤ（radio frequency identifier）タグおよびそれを用いた物品認識システムが知られている。しかし、屋外で使用できるＲＦＩＤタグ通信装置は、特定小電力無線局に制限されるため、ＲＦＩＤタグの読取り範囲は２〜３ｍ程度に限定される。そのため、ＲＦＩＤリーダをＲＦＩＤタグの近傍位置に接近させないとＲＦＩＤタグの情報を読み取ることができない。したがって、探索エリアが特定小電力無線局の探索範囲よりも広い場合には、ＲＦＩＤリーダを使用して目的のＲＦＩＤタグの位置を探索し、点検個所を確認する作業は難しいのが実情である。
【０００５】
また、支持層に再帰反射材層を積層した再帰性反射層に、カラーシート層が積層されるタグが使用される場合がある。ここでは、カラーシート層は透明であり、可視光領域の色により符号化されたカラーコード情報が印刷されている。従って、暗所においても、遠方からでも、湾曲した箇所に貼り付けた場合でもタグを認識することが可能であり、タグが近接して複数配置されていてもそれらを識別することが可能なタグを提供している。
【０００６】
しかし、カラーコード情報が印刷されたタグの場合は、長期間、屋外に放置されると、埃などが堆積するため、カラーコード情報を正確に読み取ることが困難になる。
【先行技術文献】
【特許文献】
【０００７】
【特許文献１】特開２００９−２０８１３号公報
【発明の概要】
【発明が解決しようとする課題】
【０００８】
本実施形態が解決しようとする課題は、鈑桁橋など金属製の構造物内で図面を参照しながら点検個所を確認する際、点検個所に取り付けられたＲＦＩＤタグを効率的に探すことができ、必要な情報を取得することができるＲＦＩＤタグを提供する事である。
【課題を解決するための手段】
【０００９】
一つの実施形態のＲＦＩＤタグは、基材にＲＦＩＤチップとアンテナとが配置されたＲＦＩＤタグ本体と、前記ＲＦＩＤタグ本体に組み付けられた再帰性反射材とを備えている。
【図面の簡単な説明】
【００１０】
【図１】図１は、第１の実施形態に係るＲＦＩＤタグの分解斜視図である。
【図２】図２は、第１の実施形態に係るＲＦＩＤタグの斜視図である。
【図３】図３は、第１の実施形態に係るＲＦＩＤタグと組み合わせて橋梁やトンネルなどの点検場所の探索時に使用される携帯用の点検場所探索装置の使用状態を説明するための斜視図である。
【図４】図４は、第１の実施形態に係るＲＦＩＤタグの変形例を示す斜視図である。
【図５】図５は、第１の実施形態の点検場所探索装置の表示部の一例を示す斜視図である。
【図６】図６は、図５に示す点検場所探索装置の電気的な構成を示すブロック図である。
【図７】図７は、場所データの一例を示す図である。
【図８】図８は、関連付けデータの一例を示す図である。
【図９】図９は、第２の実施形態に係るＲＦＩＤタグを示す斜視図である。
【図１０】図１０は、第２の実施形態のＲＦＩＤタグの再帰性反射部の一例を示す平面図である。
【図１１】図１１は、第３の実施形態に係るＲＦＩＤタグの斜視図である。
【図１２】図１２は、第３の実施形態に係るＲＦＩＤタグの再帰性反射部の一例を示す平面図である。
【図１３】図１３は、第４の実施形態に係るＲＦＩＤタグの使用状態を説明するための斜視図である。
【発明を実施するための形態】
【００１１】
以下、実施形態について、図面を参照しながら説明する。  
（第１の実施形態）  
図１は、第１の実施形態に係るＲＦＩＤタグ１の分解斜視図である。図２は、第１の実施形態に係るＲＦＩＤタグ１の斜視図である。図１に示すように本実施形態のＲＦＩＤタグ１は、平板状のＲＦＩＤタグ本体２と、このＲＦＩＤタグ本体２に組み付けられた平板状の再帰性反射材３とを備えている。ＲＦＩＤタグ本体２は、平板状の保持部材（シート基材）４にＲＦＩＤチップ５とアンテナ６とが配置されている。本実施形態では、図２に示すようにこのＲＦＩＤタグ本体２の表面上に再帰性反射材３が重ねて配置されて積層される状態で一体化されている。従って、再帰性反射材３の反射面３ａ側からアンテナ６は見えないが、説明のため図２に示すように反射面３ａ側にＲＦＩＤチップ５とアンテナ６とを重ねて表示している。
【００１２】
次に、本実施形態の再帰性反射材３付きのＲＦＩＤタグ１を鈑桁橋（ばんげたきょう）などの構造物に取り付け、目的のタグを見つける方法を説明する。本実施形態のＲＦＩＤタグ１は、点検を行う事業者が鈑桁橋などの構造物に取り付けて使用される。このＲＦＩＤタグ１を金属製の構造物に取り付ける場合は、発泡スチロールなどのスペーサを挟んで、粘着テープなどで固定する（図示せず）。これは、アンテナ６が金属に近接すると、アンテナとして機能しなくなるためである。なお、金属面に取り付け可能なＲＦＩＤタグ１と再帰性反射材３を組み合わせても良い。一般に、橋梁やトンネルなどの点検場所は、広い範囲の複数個所に存在し、複数の点検場所にそれぞれＲＦＩＤタグ１が取り付けられる。このとき、ＲＦＩＤタグ１の取り付け時には、同時に図３および図５に示す携帯用の点検場所探索装置１０を使用して修繕が必要と判断した個所のマーキングデータや、その部分の写真や、補修内容の記録などを関連付けたデータを記録する。なお、ＲＦＩＤタグ１を金属製の構造物に取り付ける場合は、マグネットで取り付ける構成にしてもよい。
【００１３】
また、橋梁やトンネルなどの点検場所の修繕などの作業時には、図３および図５に示す携帯用の点検場所探索装置１０を使用して本実施形態のＲＦＩＤタグ１の位置が探索される。この点検場所探索装置１０は、通信ユニット１０Ａおよび携帯情報端末１０Ｂを含む。なお、図３は、点検場所探索装置１０の通信ユニット１０Ａ側から見た外観を示す斜視図、図５は、点検場所探索装置１０の携帯情報端末１０Ｂ側の表示画面１８を示す斜視図である。
【００１４】
通信ユニット１０Ａは、ユニット本体１０ａと、ホルダ１０ｂおよびグリップ１０ｃを含む。ユニット本体１０ａは、その内部に後述する電気的な構成要素の多くを収容し、ＲＦＩＤリーダ７と、照明用のライト（光源）８とが組み込まれている。ホルダ１０ｂは、携帯情報端末１０Ｂを、着脱可能に保持する。グリップ１０ｃは、点検場所探索装置１０の使用者によって握られる。
【００１５】
携帯情報端末１０Ｂは、通信ユニット１０Ａと無線通信しながら、探索支援のための後述する情報処理を行う。携帯情報端末１０Ｂとしては、例えば携帯電話、スマートフォンまたはタブレット型コンピュータなどが利用できる。
【００１６】
図６は点検場所探索装置１０の電気的な構成を示すブロック図である。なお、図６において図５に示されるのと同一の要素については、同一の符号を付している。
【００１７】
通信ユニット１０Ａは、ＲＦＩＤタグ１および無線局３０と無線通信する。
【００１８】
ＲＦＩＤタグ１は、上述した通り予め探索の対象となる橋梁やトンネルなどの点検場所に取り付けられる。図６ではＲＦＩＤタグ１を１つのみ示しているが、典型的には多数のＲＦＩＤタグ１が多数の点検場所にそれぞれ取り付けられる。ＲＦＩＤタグ１は、所定の電波を受けると動作し、一意の識別コードであるタグＩＤを送信する。ＲＦＩＤタグ１としては、各種の規格のものを適宜に用いることができる。
【００１９】
無線局３０は、点検場所探索装置１０を利用しての点検場所の探索が行われる空間（以下、探索対象エリアと称する）の中に設置される。図６では無線局３０を１つのみ示しているが、典型的には複数の無線局３０が探索対象エリアの中に分散して配置される。無線局３０は、移動が可能であっても良いが、原則としては固定された状態で運用される。なお、無線局３０は１つであってもよい。
【００２０】
無線局３０は、予め定められた一意のビーコン信号を無線送信する。ビーコン信号は、無線局３０毎に一意の無線局コードを含むものであっても良いし、無線局３０毎に、例えば周波数などのビーコン信号自体の属性が異なるものであっても良い。複数の無線局３０は、互いにほぼ同じ強度でビーコン信号を送信する。無線局３０の送信強度は、ＲＦＩＤタグ１の送信強度よりも大きい。つまり、無線局３０の通信エリアは、ＲＦＩＤタグ１の通信エリアよりも広い。
【００２１】
通信ユニット１０Ａは、プロセッサ１１、メモリ１２、送受信回路１３、受信回路１４、測定回路１５、通信回路１６およびシステム伝送路１７を備える。プロセッサ１１と、メモリ１２、送受信回路１３、受信回路１４、測定回路１５および通信回路１６とは、システム伝送路１７によって接続される。システム伝送路１７は、アドレスバス、データバスおよび制御信号線等を含む。
【００２２】
プロセッサ１１およびメモリ１２は、システム伝送路１７によって接続されることによって、通信ユニット１０Ａを制御するためのコンピュータを構成する。
【００２３】
プロセッサ１１は、上記コンピュータの中枢部分に相当する。プロセッサ１１は、オペレーティングシステムやアプリケーションプログラムに従って、通信ユニット１０Ａとしての各種の機能を実現するべく、通信ユニット１０Ａの各部を制御する。
【００２４】
メモリ１２は、上記コンピュータの主記憶部分に相当する。メモリ１２は、不揮発性のメモリ領域と揮発性のメモリ領域とを含む。メモリ１２は、不揮発性のメモリ領域ではオペレーティングシステムやアプリケーションプログラムを記憶する。またメモリ１２は、プロセッサ１１が各部を制御するための処理を実行する上で必要なデータを不揮発性または揮発性のメモリ領域で記憶する場合もある。メモリ１２は、揮発性のメモリ領域を、プロセッサ１１によってデータが適宜書き換えられるワークエリアとして使用する。メモリ１２としては、典型的には半導体メモリが使用される。しかしながら半導体メモリに加えて、ＨＤＤ（hard disc drive）などの他の種類の記憶デバイスを含んでも良い。
【００２５】
送受信回路１３は、ＲＦＩＤタグ１を動作させるための電波を放射する。送受信回路１３は、ＲＦＩＤタグ１が送信した無線信号を受信する。つまり送受信回路１３は、ＲＦＩＤタグ１と通信する通信デバイスの一例である。送受信回路１３は、受信した無線信号からタグＩＤを抽出し、測定回路１５に通知する。送受信回路１３は、指向性を有したアンテナを含む。上記の指向性は、ある基準方向での利得が最大であり、この基準方向に対する角度が大きくなるほどに利得が低下する特性を持つ。
【００２６】
受信回路１４は、無線局３０が送信したビーコン信号を受信する。受信回路１４は、ビーコン信号に基づいて、そのビーコン信号を送信した無線局３０に一意の識別コードである無線局ＩＤを判定する。受信回路１４は、判定した無線局ＩＤを測定回路１５に通知する。
【００２７】
測定回路１５は、送受信回路１３が無線信号を受信した場合に、その受信強度を測定する。測定回路１５は、受信回路１４がビーコン信号を受信した場合に、その受信強度を測定する。測定回路１５は、測定した受信強度を、同じ信号から得られたタグＩＤまたは無線局ＩＤとともにプロセッサ１１に通知する。
【００２８】
通信回路１６は、通信ユニット１０Ａと携帯情報端末１０Ｂとの間での無線データ通信を行う。通信回路１６としては、例えばbluetooth（登録商標）またはWi-Fiなどに準拠した既存のデバイスを利用できる。
【００２９】
携帯情報端末１０Ｂは、プロセッサ２１、メモリ２２、タッチパネル２３、ジャイロセンサ２４、通信回路２５、通信回路２６およびシステム伝送路２７を備える。プロセッサ２１と、メモリ２２、タッチパネル２３、ジャイロセンサ２４、通信回路２５および通信回路２６とは、システム伝送路２７によって接続される。システム伝送路２７は、アドレスバス、データバスおよび制御信号線等を含む。
【００３０】
プロセッサ２１およびメモリ２２は、システム伝送路２７によって接続されることによって、携帯情報端末１０Ｂを制御するためのコンピュータを構成する。
【００３１】
プロセッサ２１は、上記コンピュータの中枢部分に相当する。プロセッサ２１は、オペレーティングシステムやアプリケーションプログラムに従って、携帯情報端末１０Ｂとしての各種の機能を実現するべく、携帯情報端末１０Ｂの各部を制御する。
【００３２】
メモリ２２は、上記コンピュータの主記憶部分に相当する。メモリ２２は、不揮発性のメモリ領域と揮発性のメモリ領域とを含む。メモリ２２は、不揮発性のメモリ領域ではオペレーティングシステムやアプリケーションプログラムを記憶する。メモリ２２が記憶するアプリケーションプログラムの１つは、後述する制御処理のための制御プログラムである。またメモリ２２は、プロセッサ２１が各部を制御するための処理を実行する上で必要なデータを不揮発性または揮発性のメモリ領域で記憶する場合もある。メモリ２２は、揮発性のメモリ領域を、プロセッサ２１によってデータが適宜書き換えられるワークエリアとして使用する。メモリ２２としては、典型的には半導体メモリが使用される。しかしながら半導体メモリに加えて、ＨＤＤ（hard disc drive）などの他の種類の記憶デバイスを含んでも良い。
【００３３】
タッチパネル２３は、携帯情報端末１０Ｂの入力デバイスおよび表示デバイスとして機能する。
【００３４】
ジャイロセンサ２４は、携帯情報端末１０Ｂの向きを検出する。携帯情報端末１０Ｂが通信ユニット１０Ａに取り付けられた状態では、送受信回路１３が備えるアンテナの向きと携帯情報端末１０Ｂの向きとの相対的な関係は変化しない。従って、ジャイロセンサ２４は、送受信回路１３が備えるアンテナの向きを検知する。つまりジャイロセンサ２４は、検知手段の一例である。
【００３５】
通信回路２５は、通信ユニット１０Ａと携帯情報端末１０Ｂとの間での無線データ通信を行う。つまり通信回路２５は、通信回路１６と通信するのであり、通信回路１６が準拠するのと同じ規格に準拠した既存のデバイスを利用できる。
【００３６】
通信回路２６は、通信ネットワーク３１を介したデータ通信を行う。通信ネットワーク３１は、例えばモバイルネットワークを含む。通信回路２６としては、モバイルネットワークと通信するための既存のデバイスを利用できる。通信回路２６により通信ネットワーク３１を介してデータ通信する相手の１つはサーバ３２である。
【００３７】
サーバ３２は、内蔵または外付けされた記憶デバイスに、場所データおよび関連付けデータを記憶する。そしてサーバ３２は、携帯情報端末１０Ｂからの各種の問合わせに対して、場所データおよび関連付けデータに基づいて回答する。
【００３８】
図７は場所データの一例を示す図である。図７に示すように場所データは、無線局ＩＤと設置場所とを関連付けたデータレコードの集合である。設置場所は、同じデータレコードで関連付けられた無線局ＩＤで識別される無線局３０が設置されている場所を、使用者が認識できる表現形式で表したデータである。場所データは、無線局３０の設置作業の一環として、その作業者などによる操作に基づいて更新される。なお、図７に示した設置場所の表現形式は一例であって、設置場所をどのような表現形式で表すかは任意である。
【００３９】
図８は関連付けデータの一例を示す図である。図８に示すように関連付けデータは、タグＩＤと、補修箇所のデータ、例えば修繕が必要と判断した個所のマーキングデータや、その部分の写真や、補修内容の記録などを関連付けたデータレコードの集合である。関連付けデータのデータレコードには、原則として、探索エリア内で点検場所に取り付けられたＲＦＩＤタグのタグＩＤと、そのタグＩＤで識別されるＲＦＩＤタグが取り付けられた点検場所のマーキングデータや、その部分の写真や、補修内容の記録などを関連付けたデータが記述される。
【００４０】
ところで、通信ユニット１０Ａおよび携帯情報端末１０Ｂをセットとして使用者に譲渡されても良いし、通信ユニット１０Ａおよび携帯情報端末１０Ｂが個別に使用者に譲渡されても良い。そして、アプリケーションプログラムは、通信ユニット１０Ａおよび携帯情報端末１０Ｂが使用者に譲渡される時点でメモリ１２，２２に記憶されていても良いし、通信ユニット１０Ａおよび携帯情報端末１０Ｂの譲渡後に使用者の操作の下にメモリ１２，２２に書き込まれても良い。後者の場合にアプリケーションプログラムは、磁気ディスク、光磁気ディスク、光ディスク、半導体メモリなどのようなリムーバブルな記録媒体に記録するか、あるいはネットワークを介するなどの任意の方法で使用者に譲渡されて良い。
【００４１】
次に、以上のように構成された点検場所探索装置１０を使用して鈑桁橋などの構造物の点検場所の修繕などの作業を行う場合の動作について説明する。鈑桁橋などの構造物の点検場所の修繕などの作業時には、作業現場で操作者は点検場所探索装置１０の通信ユニット１０Ａに備えられたライト８を点灯して周囲を照らす。このとき、作業現場が広い場合であってもライト８からの照明光が届く場合は、ＲＦＩＤタグ１の再帰性反射材３がライト８からの照明光を反射する。そのため、操作者はＲＦＩＤタグ１の位置を簡単に確認することができる。ＲＦＩＤタグ１の位置を目視で確認した場合は、そのＲＦＩＤタグ１の方向に向かって近付いて行く。なお、通信ユニット１０ＡのＲＦＩＤリーダ７にライト８が備えられていない場合は、懐中電灯などの照明光を利用しても良い。
【００４２】
目標位置のＲＦＩＤタグ１の再帰性反射材３の近く（概ね２ｍ以内）まで接近したら、通信ユニット１０ＡのＲＦＩＤリーダ７によりＲＦＩＤタグ１の読取りを開始する。再帰性反射材３付きのＲＦＩＤタグ１のＩＤが読み取られると、携帯情報端末１０Ｂの画面１８にＩＤが表示される。このとき、携帯情報端末１０Ｂに備えられたＬＴＥ（登録商標）（Long Term Evolution）などの携帯電話網の通信ネットワーク３１によりクラウド上のサーバ３２に前記ＩＤを参照すると、点検時に撮影された写真や補修内容などの情報がダウンロードされ、携帯情報端末１０Ｂの画面１８に表示される。なお、近傍に複数の再帰性反射材付きＲＦＩＤタグ１がある場合は、上記の操作を繰り返す。
【００４３】
そこで、上記構成の本実施形態のＲＦＩＤタグ１では、保持部材４にＲＦＩＤチップ５とアンテナ６とが配置されたＲＦＩＤタグ本体２と、前記ＲＦＩＤタグ本体２に組み付けられた再帰性反射材３とを備えている。そのため、橋梁やトンネルなどの点検場所の修繕などの作業時には、作業現場で操作者がライト８を点灯して周囲を照らすことで、ＲＦＩＤタグ本体２と一体化した再帰性反射材３の反射光によりＲＦＩＤタグ１の位置を遠方から把握できる。したがって、目標のＲＦＩＤタグ１の再帰性反射材３の近く（概ね２ｍ以内）まで接近した状態で、ＲＦＩＤタグ１の近傍からＲＦＩＤリーダ７によりＲＦＩＤタグ１の情報を効率的に読み取ることが出来る。その結果、鈑桁橋（ばんげたきょう）など金属製の構造物内で図面を参照しながら点検個所を確認する際、点検個所に取り付けられたＲＦＩＤタグ１を効率的に探すことができ、必要な情報を取得することができるＲＦＩＤタグ１を提供することができる。
【００４４】
また、図４に示す変形例のように、ＲＦＩＤタグ１のＲＦＩＤタグ本体２と、再帰性反射材３とを同一面に並べて配置しても良い。
【００４５】
（第２の実施形態）  
図９および図１０は、第２の実施形態を示す。図９は、第２の実施形態に係るＲＦＩＤタグ４１の斜視図である。なお、図９および図１０中で、図１乃至図８と同一部分には同一の符号を付してその説明を省略する。
【００４６】
本実施形態のＲＦＩＤタグ４１は、ＲＦＩＤタグ本体２の隣、図９中でＲＦＩＤタグ本体２の下側にＲＦＩＤタグ本体２と同一面に並べて配置した再帰性反射部４２を設けたものである。この再帰性反射部４２は、図１０に示すように表示色が異なる複数色、本実施形態では２色の再帰性反射材（第１の再帰性反射材４２ａと第２の再帰性反射材４２ｂ）が横に並べて配置されている。ここで、第１の再帰性反射材４２ａは、例えば赤色、第２の再帰性反射材４２ｂは白色である。
【００４７】
さらに、再帰性反射部４２は、この再帰性反射部４２の表示色を選択する表示色選択部４３を有する。この表示色選択部４３は、複数色の再帰性反射部４２（第１の再帰性反射材４２ａと第２の再帰性反射材４２ｂ）の並ぶ方向に移動可能な遮光板４４を備えている。この遮光板４４は、第１の再帰性反射材４２ａと第２の再帰性反射材４２ｂとの並設部の反射面側の上下に配置された一対のガイド部材４５ａ、４５ｂに沿って図９中で左右方向にスライド可能になっている。そして、遮光板４４がガイド部材４５ａ、４５ｂに沿って左右に動くことで、第１の再帰性反射材４２ａと第２の再帰性反射材４２ｂとのいずれか一方を選択的に露出させることが出来る。これにより、再帰性反射部４２の表示色を選択できる。
【００４８】
次に、本実施形態のＲＦＩＤタグ４１を鈑桁橋などの構造物に取り付け、目的のＲＦＩＤタグ４１を見つける方法を説明する。
【００４９】
まず、再帰性反射材付きＲＦＩＤタグ４１を金属製の構造物に取り付ける場合は、発泡スチロールなどのスペーサを挟んで、粘着テープなどで固定する（図示せず）。これは、ＲＦＩＤタグ本体２のアンテナ６が金属に近接すると、アンテナとして機能しなくなるためである。また、金属面に取り付け可能なＲＦＩＤタグと再帰性反射部４２を組み合わせても良い。このとき、遮光板４４は、例えば図９に示すように第２の再帰性反射材４２ｂに重なる位置に移動させ、第１の再帰性反射材４２ａが露出する状態、つまり赤色に反射する状態である。
【００５０】
次に、鈑桁橋などの構造物の点検場所の修繕などの作業現場で操作者は、図３に示すように、点検場所探索装置１０の通信ユニット１０Ａに備えられたライト８を点灯して周囲を照らす。このとき、本実施形態では、ＲＦＩＤタグ４１の第１の再帰性反射材４２ａが赤色の照明光を反射するため、操作者はＲＦＩＤタグ４１の位置を目視で簡単に確認することができる。ＲＦＩＤタグ４１の位置を目視で確認した場合は、そのＲＦＩＤタグ４１の方向に向かって近付いて行く。なお、通信ユニット１０ＡのＲＦＩＤリーダ７にライト８が備えられていない場合は、懐中電灯などの照明光を利用しても良い。
【００５１】
目標の再帰性反射材付きＲＦＩＤタグ４１の近く（概ね２ｍ以内）まで接近したら、通信ユニット１０ＡのＲＦＩＤリーダ７によりＲＦＩＤタグ４１の読取りを開始する。ＲＦＩＤタグ４１のＩＤが読み取られると、携帯情報端末１０Ｂの画面１８にＩＤが表示される。このとき、携帯情報端末１０Ｂに備えられたＬＴＥ（Long Term Evolution）などの携帯電話網の通信ネットワーク３１によりクラウド上のサーバ３２に前記ＩＤを参照すると、点検時に撮影された写真や補修内容などの情報がダウンロードされ、携帯情報端末１０Ｂの画面１８に表示される。なお、近傍に複数の再帰性反射材付きＲＦＩＤタグ４１がある場合は、上記の操作を繰り返す。
【００５２】
補修個所の修繕が完了したら、遮光板４４を第１の再帰性反射材４２ａに重なる位置に移動させ、第２の再帰性反射材４２ｂが露出する状態、つまり白色に反射する状態に設定する。これにより、工事現場には赤色と白色に反射するＲＦＩＤタグ４１が混在する事になるが、赤色は補修前、白色は補修完了を示すため、操作者は目的によりＲＦＩＤタグ４１を選別する事が出来る。
【００５３】
（第３の実施形態）  
図１１および図１２は、第３の実施形態を示す。図１１は、第３の実施形態に係るＲＦＩＤタグ５１の斜視図である。なお、図１１および図１２中で、図１乃至図８と同一部分には同一の符号を付してその説明を省略する。
【００５４】
本実施形態のＲＦＩＤタグ５１は、円板状のＲＦＩＤタグ本体５２と、このＲＦＩＤタグ本体５２に組み付けられた円形状の再帰性反射部５３とを備えている。ＲＦＩＤタグ本体５２は、円板状の保持部材（シート基材）５４を設けている。この保持部材５４には、ＲＦＩＤチップ５とアンテナ６とが配置されている。
【００５５】
円形状の再帰性反射部５３は、ＲＦＩＤタグ本体５２の円板状の保持部材５４の円形状と同径の円形状に形成されている。再帰性反射部５３は、図１２に示すように表示色が異なる複数色、本実施形態では３色の扇形の再帰性反射材（第１の再帰性反射材５３ａと、第２の再帰性反射材５３ｂと、第３の再帰性反射材５３ｃ）が周方向に等間隔で並べて配置されている。第１〜第３の再帰性反射材５３ａ〜５３ｃの扇形は、中心角が１２０°で同じ大きさに形成されている。ここで、第１の再帰性反射材５３ａは例えば赤色、第２の再帰性反射材５３ｂは白色、第３の再帰性反射材５３ｃは黄色である。
【００５６】
さらに、第１〜第３の再帰性反射材５３ａ〜５３ｃの反射面側には、扇形の開口部５５ａを設けたほぼ円形の遮光板５５を設けている。扇形の開口部５５ａは、第１〜第３の再帰性反射材５３ａ〜５３ｃの扇形と同じ大きさに形成されている。遮光板５５は、円の中心に配置された回転軸５６を中心に回転可能になっている。
【００５７】
そして、遮光板５５は、回転軸５６を中心に回転することで、第１〜第３の再帰性反射材５３ａ〜５３ｃのいずれか１つを扇形の開口部５５ａから選択的に露出させることが出来る。
【００５８】
本実施形態では、図１１に示すようにＲＦＩＤタグ本体５２の表面上に再帰性反射部５３と、遮光板５５とが重ねて配置されて積層されている。従って、再帰性反射部５３の反射面側からＲＦＩＤチップ５とアンテナ６は見えないが、説明のため図１１に示すように再帰性反射部５３の反射面側にＲＦＩＤチップ５とアンテナ６とを重ねて表示している。
【００５９】
次に、本実施形態の再帰性反射材付きＲＦＩＤタグ５１を鈑桁橋などの構造物に取り付け、目的のＲＦＩＤタグ５１を見つける方法を説明する。
【００６０】
まず、再帰性反射材付きＲＦＩＤタグ５１を金属製の構造物に取り付ける場合は、発泡スチロールなどのスペーサを挟んで、粘着テープなどで固定する（図示せず）。これは、ＲＦＩＤタグ本体５２のアンテナ６が金属に近接すると、アンテナとして機能しなくなるためである。また、金属面に取り付け可能なＲＦＩＤタグ５１と再帰性反射部５３を組み合わせても良い。このとき、遮光板５５は、赤色の第１の再帰性反射材５３ａが露出する位置に回転させておく。
【００６１】
次に、鈑桁橋などの構造物の点検場所の修繕などの作業現場で操作者は、図３に示すように、点検場所探索装置１０の通信ユニット１０Ａに備えられたライト８を点灯して周囲を照らす。このとき、本実施形態では、再帰性反射材付きＲＦＩＤタグ５１の第１の再帰性反射材５３ａが赤色の照明光を反射するため、操作者はＲＦＩＤタグ５１の位置を目視で簡単に確認することができる。ＲＦＩＤタグ５１の位置を目視で確認した場合は、そのＲＦＩＤタグ５１の方向に向かって近付いて行く。なお、通信ユニット１０ＡのＲＦＩＤリーダ７にライト８が備えられていない場合は、懐中電灯などの照明光を利用しても良い。
【００６２】
目標の再帰性反射材付きＲＦＩＤタグ５１の近く（概ね２ｍ以内）まで接近したら、通信ユニット１０ＡのＲＦＩＤリーダ７によりＲＦＩＤタグ５１の読取りを開始する。ＲＦＩＤタグ５１のＩＤが読み取られると、携帯情報端末１０Ｂの画面１８にＩＤが表示される。このとき、携帯情報端末１０Ｂに備えられたＬＴＥ（Long Term Evolution）などの携帯電話網の通信ネットワーク３１によりクラウド上のサーバ３２に前記ＩＤを参照すると、点検時に撮影された写真や補修内容などの情報がダウンロードされ、携帯情報端末１０Ｂの画面１８に表示される。なお、近傍に複数の再帰性反射材付きＲＦＩＤタグ５１がある場合は、上記の操作を繰り返す。
【００６３】
補修個所の修繕が完了したら、遮光板５５の扇形の開口部５５ａを白色の第２の再帰性反射材５３ｂが露出する状態に回転させる。また、数年後に再検査が必要な場合は、遮光板５５の扇形の開口部５５ａを黄色の第３の再帰性反射材５３ｃが露出するように回転させる。これにより、工事現場には赤色、白色、黄色に反射する再帰性反射材付きＲＦＩＤタグ５１が混在する事になるが、赤色は補修前、白色は補修完了、黄色は経過観察を示すため、操作者は目的により再帰性反射材付きＲＦＩＤタグ５１を選別する事が出来る。
【００６４】
（第４の実施形態）  
図１３は、第４の実施形態に係る再帰性反射材付きＲＦＩＤタグ６１の斜視図である。なお、図１３中で、図１乃至図８と同一部分には同一の符号を付してその説明を省略する。本実施形態のＲＦＩＤタグ６１は、ＲＦＩＤタグ本体２の保持部材４にＲＦＩＤチップ５とアンテナ６が配置され、その上に白色の再帰性反射材６２が配置されている。更に、再帰性反射材６２の反射面に例えば、赤色のカラーフィルム６３が貼り付けられている。カラーフィルム６３は、剥離部６３ａを引き上げることで再帰性反射材６２から剥離できる構造になっている。
【００６５】
次に、本実施形態の再帰性反射材付きＲＦＩＤタグ６１を鈑桁橋などの構造物に取り付け、目的のＲＦＩＤタグ６１を見つける方法を説明する。
【００６６】
まず、再帰性反射材付きＲＦＩＤタグ６１を金属製の構造物に取り付ける場合は、発泡スチロールなどのスペーサを挟んで、粘着テープなどで固定する（図示せず）。これは、ＲＦＩＤタグ本体２のアンテナ６が金属に近接すると、アンテナとして機能しなくなるためである。また、金属面に取り付け可能なＲＦＩＤタグ６１と再帰性反射材６２を組み合わせても良い。このとき、再帰性反射材６２はカラーフィルム６３の色（例えば赤色）で反射する状態である。
【００６７】
次に、鈑桁橋などの構造物の点検場所の修繕などの作業現場で操作者は、図３に示すように、点検場所探索装置１０の通信ユニット１０Ａに備えられたライト８を点灯して周囲を照らす。このとき、本実施形態では、再帰性反射材付きＲＦＩＤタグ６１が赤色の照明光を反射するため、操作者はＲＦＩＤタグ６１の位置を目視で簡単に確認することができる。ＲＦＩＤタグ６１の位置を目視で確認した場合は、そのＲＦＩＤタグ６１の方向に向かって近付いて行く。なお、通信ユニット１０ＡのＲＦＩＤリーダ７にライト８が備えられていない場合は、懐中電灯などの照明光を利用しても良い。
【００６８】
目標の再帰性反射材付きＲＦＩＤタグ６１の近く（概ね２ｍ以内）まで接近したら、通信ユニット１０ＡのＲＦＩＤリーダ７によりＲＦＩＤタグ６１の読取りを開始する。ＲＦＩＤタグ６１のＩＤが読み取られると、携帯情報端末１０Ｂの画面１８にＩＤが表示される。このとき、携帯情報端末１０Ｂに備えられたＬＴＥ（Long Term Evolution）などの携帯電話網の通信ネットワーク３１によりクラウド上のサーバに前記ＩＤを参照すると、点検時に撮影された写真や補修内容などの情報がダウンロードされ、携帯情報端末１０Ｂの画面１８に表示される。なお、近傍に複数の再帰性反射材付きＲＦＩＤタグ６１がある場合は、上記の操作を繰り返す。
【００６９】
補修個所の修繕が完了したら、カラーフィルム６３を剥離部６３ａの部分を持って剥離する。これにより、ＲＦＩＤタグ６１の再帰性反射材６２は白色に反射する状態になる。この状態で、工事現場には赤色と白色に反射する再帰性反射材付きＲＦＩＤタグ６１が混在する事になるが、赤色は補修前、白色は補修完了を示すため、操作者は目的により再帰性反射材付きＲＦＩＤタグ６１を選別する事が出来る。
【００７０】
これらの実施形態によれば、ＲＦＩＤタグと一体化した再帰性反射材の反射光によりＲＦＩＤタグの位置を遠方から把握でき、近傍からＲＦＩＤリーダによりＲＦＩＤタグの情報を効率的に読み取ることが出来る。また、複数色の再帰性反射材を遮光板により選択する事で、探索すべきＲＦＩＤタグを特定する事が出来る。これにより、鈑桁橋など金属製の構造物内で図面を参照しながら点検個所を確認する際、点検個所に取り付けられたＲＦＩＤタグを効率的に探すことができ、必要な情報を取得することができるＲＦＩＤタグを提供することができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…ＲＦＩＤタグ、２…ＲＦＩＤタグ本体、３…再帰性反射材、３ａ…反射面、４…保持部材、５…ＲＦＩＤチップ、６…アンテナ、７…ＲＦＩＤリーダ、８…ライト、１０…点検場所探索装置、１０Ａ…通信ユニット、１０Ｂ…携帯情報端末、１０ａ…ユニット本体、１０ｂ…ホルダ、１０ｃ…グリップ、１１…プロセッサ、１２…メモリ、１３…送受信回路、１４…受信回路、１５…測定回路、１６…通信回路、１７…システム伝送路、１８…画面、２１…プロセッサ、２２…メモリ、２３…タッチパネル、２４…ジャイロセンサ、２５…通信回路、２６…通信回路、２７…システム伝送路、３０…無線局、３１…通信ネットワーク、３２…サーバ、４１…ＲＦＩＤタグ、４２…再帰性反射部、４２ａ…第１の再帰性反射材、４２ｂ…第２の再帰性反射材、４３…表示色選択部、４４…遮光板、４５ａ…ガイド部材、４５ｂ…ガイド部材、５１…ＲＦＩＤタグ、５２…ＲＦＩＤタグ本体、５３…再帰性反射部、５３ａ…第１の再帰性反射材、５３ｂ…第２の再帰性反射材、５３ｃ…第３の再帰性反射材、５４…保持部材、５５…遮光板、５５ａ…開口部、５６…回転軸、６１…ＲＦＩＤタグ、６２…再帰性反射材、６３…カラーフィルム、６３ａ…剥離部。
【図１】
2017215741.tif 000003
【図２】
2017215741.tif 000004
【図３】
2017215741.tif 000005
【図４】
2017215741.tif 000006
【図５】
2017215741.tif 000007
【図６】
2017215741.tif 000008
【図７】
2017215741.tif 000009
【図８】
2017215741.tif 000010
【図９】
2017215741.tif 000011
【図１０】
2017215741.tif 000012
【図１１】
2017215741.tif 000013
【図１２】
2017215741.tif 000014
【図１３】
2017215741.tif 000015